(57)【要約】【解決手段】  熱源６と、この熱源６の後位に配された反射板７と、熱源６の前位に配されたガード用ネット１１とから扇風機型に構成するとともに、反射板７の熱源６に対向する反射面１３に光触媒皮膜３４を形成した。【効果】  この扇風機型ヒータ１が配置されている部屋を少ない消費電力で短時間のうちにまんべんなく暖めることができき、火災、火傷などに対する安全性も高い。また、この扇風機型ヒータ１を長期間使用した場合でも、反射板７の熱源６に対向する反射面１３にほこり、ごみ、たばこのやになどの汚物がこびりついてしまうことがなく、熱源６から放射される光線が上記汚物に吸収されて反射板７の反射面１３で効率良く反射されなくなる恐れがなく、反射板７の反射面１３が上記汚物で汚染されて美観を損ねたり不衛生になったりする恐れがなく、反射面１３にこびりついた汚物中のわたぼこりなどが燃えて火災の原因になったりする恐れがない。【選択図】図２
2005069628.tif 000002
【特許請求の範囲】
【請求項１】
熱源と、上記熱源の後位に配された反射板と、上記熱源の前位に配されたガード用ネットとを備えた扇風機型ヒータにおいて、
上記反射板の上記熱源と対向する反射面に光触媒皮膜を形成したことを特徴とする扇風機型ヒータ。
【請求項２】
上記光触媒皮膜が、ＴｉＯ２皮膜およびＺｎＯ皮膜から成るグループのうちの少なくとも一種であることを特徴とする請求項１に記載の扇風機型ヒータ。
【請求項３】
支柱上に支持された熱源支持部に熱源カバー、上記熱源および上記反射板が前方から後方に向って順次取付け配置され、
上記ガード用ネットが、上記熱源カバーおよび上記熱源を前方から包囲しかつ上記反射板の反射面に対向するように、上記反射板に結合され、
上記熱源がハロゲンランプから構成されていることを特徴とする請求項１または２に記載の扇風機型ヒータ。
【請求項４】
上記ガード用ネットの外周縁部付近が、工具を用いてねじ止めされたねじ止め結合手段および工具を用いてかしめ止めされたかしめ止め結合手段から成るグループのうちの少なくとも一種によって上記反射板の外周囲付近に結合されたことを特徴とする請求項１、２または３に記載の扇風機型ヒータ。
【請求項５】
上記支柱が、固定側の支柱と、この固定側支柱に沿って昇降することができる可動側の支柱とを備え、
上記可動側支柱の上端部に支持台部がほぼ上下方向に首振り可能に取付けられ、
上記支持台部に上記熱源支持部がほぼ水平方向に首振り可能に支持され、
上記熱源支持部に上記ハロゲンランプが取付けられたことを特徴とする請求項４に記載の扇風機型ヒータ。
【発明の詳細な説明】
【技術分野】
【０００１】
本発明は、ハロゲンランプなどの熱源と、上記熱源の後位に配された反射板と、上記熱源の前位に配されたガード用ネットとを備えた扇風機型ヒータに関するものである。
【背景技術】
【０００２】
熱源としてのハロゲンランプが装着された扇風機型暖房装置（すなわち、扇風機型ハロゲンランプヒータ）が従来から知られている。このような扇風機型ハロゲンランプヒータにおいては、支柱上に支持された熱源支持部にランプカバー、ほぼループ状のハロゲンランプおよびパラボラ型反射板が前方から後方に向って順次取付け配置されている。そして、前方に突出したほぼ椀形状のガード用ネットが、ランプカバーおよびハロゲンランプを前方から包囲しかつ反射板の反射面に対向するように、反射板に結合されている。したがって、上記公知の扇風機型ハロゲンランプヒータによれば、このヒータが配置されている部屋を少ない消費電力で短時間のうちにまんべんなく暖めることができ、また、火災、火傷などに対する安全性も高い。
【特許文献１】実用新案登録第３０７８５３９号公報
【発明の開示】
【発明が解決しようとする課題】
【０００３】
しかし、上述のように構成された公知の扇風機型ハロゲンランプヒータを長期間使用した場合、反射板のハロゲンランプに対向している反射面にほこり、ごみ、たばこのやになどの汚物がこびりついてしまうので、ハロゲンランプから放出される遠赤外線が上記汚物に吸収されて反射板の反射面で効率良く反射されなくなり、また、反射板の反射面が上記汚物で汚染されて美観を損ねたり不衛生になったり、さらに、上記汚物中のわたぼこりなどが燃えて火災の原因になったりする。
【０００４】
このような欠点を是正するためには、素手でもって簡単に係脱し得る係止金具でもってガード用ネットを反射板に結合させておいて、ときどき、素手で係止金具による係止を解除することによりガード用ネットを反射板から取り外し、ついで、反射板の反射面にこびりついている汚物をぞうきんなどで水拭きして取り除いてから、再び、素手で係止金具を係止状態に戻すことによりガード用ネットを反射板に結合させるようにすればよい。
【０００５】
しかし、反射板の反射面をぞうきんなどで水拭きすると、ハロゲンランプの外壁を構成している石英管にぞうきんなどの水分が付着する恐れがあるので、その後にハロゲンランプを点灯させたときに、上記石英管が割れる恐れがある。また、上述のようにガード用ネットを反射板から素手で簡単に取り外せるようにした場合には、子供などが反射板からガード用ネットを不用意に取り外す恐れがあるので、火災、火傷などの原因になる。
【０００６】
本発明は、上記公知の扇風機型ハロゲンランプヒータの上述のような欠点を比較的簡単な構成により効果的に是正し得るようにしたものである。
【課題を解決するための手段】
【０００７】
本発明は、ハロゲンランプなどの熱源ランプ、その他の熱源と、上記熱源の後位に配された反射板と、上記熱源の前位に配されたガード用ネットとを備えた扇風機型ヒータにおいて、上記反射板の上記熱源と対向する反射面に光触媒皮膜を形成したものである。
【０００８】
なお、本発明においては、上記光触媒皮膜が、ＴｉＯ２皮膜およびＺｎＯ皮膜から成るグループのうちの少なくとも一種であるのが好ましい。また、本発明においては、支柱上に直接または間接的に支持された熱源支持部に熱源カバー、上記熱源および上記反射板が前方から後方に向って順次直接または間接的に取付け配置され、上記ガード用ネットが、上記熱源カバーおよび上記熱源を前方から包囲しかつ上記反射板の反射面に対向するように、上記反射板に直接または間接的に結合され、上記熱源がハロゲンランプから構成されているのが好ましい。また、本発明においては、上記ガード用ネットの外周縁部付近が、ねじ回し、スパナなどの工具を用いてねじ止めされたねじ止め結合手段およびペンチ、プレスマシンなどの工具を用いてかしめ止めされたかしめ止め結合手段から成るグループのうちの少なくとも一種によって上記反射板の外周囲付近に直接または間接的に結合されているのが好ましい。さらに、本発明においては、上記支柱が、固定側の支柱と、この固定側支柱に沿って昇降することができる可動側の支柱とを備え、上記可動側支柱の上端部に支持台部がほぼ上下方向に首振り可能に取付けられ、上記支持台部に上記熱源支持部がほぼ水平方向に首振り可能に支持され、上記熱源支持部に上記ハロゲンランプが直接または間接的に取付けられているのが好ましい。
【発明の効果】
【０００９】
本発明によれば、熱源と、この熱源の後位に配された反射板と、上記熱源の前位に配されたガード用ネットとから扇風機型に構成されているから、この扇風機型ヒータが配置されている部屋を少ない消費電力で短時間のうちにまんべんなく暖めることができ、また、火災、火傷などに対する安全性も高い。
【００１０】
また、扇風機型ヒータの反射板の熱源と対向する反射面に光触媒皮膜を形成したから、この扇風機型ヒータを長期間使用した場合でも、反射板の熱源に対向している反射面にほこり、ごみ、たばこのやになどの汚物がこびりついてしまうことがなく、このために、熱源から放出される光線が上記汚物に吸収されて反射板の反射面で効率良く反射されなくなる恐れがなく、また、反射板の反射面が上記汚物で汚染されて美観を損ねたり不衛生になったりする恐れがなく、さらに、反射面にこびりついた汚物中のわたぼこりなどが燃えて火災の原因になったりする恐れがない。
【００１１】
また、請求項２に記載の発明によれば、扇風機型ヒータの反射板の熱源と対向する反射面に光触媒皮膜を簡単な工程で安価に形成することができ、また、光触媒皮膜による有機性物質の分解効果も良好である。
【００１２】
また、請求項３に記載の発明によれば、上記公知の扇風機型ハロゲンランプヒータの場合と同様に、構造が簡単であるにもかかわらず、扇風機型ヒータが配置されている部屋をさらに少ない消費電力でさらに短時間のうちにまんべんなく暖めることができ、また、火災、火傷などに対する安全性もさらに高い。
【００１３】
また、請求項４に記載の発明によれば、ガード用ネットを反射板から素手では簡単には取り外せないので、ガード用ネットを反射板から取り外して反射板の反射面をぞうきんなどで水拭きして熱源に水分を付着させ、このために、熱源の外壁が割れたりする恐れがない。また、子供などがガード用ネットを反射板から不用意に取り外して火災、火傷などの原因になることもない。
【００１４】
さらに、請求項５に記載の発明によれば、反射板の高さ位置、上下方向の向きおよび左右方向の向きを簡単に調整することができるので、上記部屋のうちの特に暖めたい空間を簡単な操作でもって容易に設定することができる。
【発明を実施するための最良の形態】
【００１５】
つぎに、本発明を座敷用扇風機型のハロゲンランプヒータに適用した一実施例を図面を参照して説明する。
【実施例１】
【００１６】
図１〜図５に示す座敷用扇風機型ハロゲンランプヒータ１は、図１〜図４に示すように、反射板７と反射板後面カバー兼用の反射板支持部材２６とを備えた反射板機構８の具体的構成が異なることを除いて、従来から一般的に知られている座敷用扇風機型のハロゲンランプヒータ（換言すれば、熱源としてハロゲンランプが装着された暖房機）と実質的に同一の構造であってよい。したがって、ハロゲンランプヒータ１は、図１および図２に示すように、
（ａ）基台２、
（ｂ）基台２上に立設された支柱（すなわち、スタンド）３、
（ｃ）支柱３の上端部に支持台部４を介して取付け支持された熱源支持部５、
（ｄ）熱源支持部５を包囲するように、この熱源支持部５に取付け支持された熱源用ランプとしてのほぼループ状のハロゲンランプ６、
（ｅ）パラボラ型（すなわち、ほぼ回転放物面の形状）などの湾曲した凹面形状の反射面１３がハロゲンランプ６の後面側に対向するように、ハロゲンランプ６の後位において熱源支持部５に反射板後面カバー兼用の反射板支持部材２６を介して取付け支持された反射板７、
（ｆ）その後面に設けられた反射面９がハロゲンランプ６の前面側に対向するように、ハロゲンランプ６の前位において熱源支持部５に取付け支持された前方に突出するほぼ皿形状の熱源カバー１０、
（ｇ）熱源カバー１０およびハロゲンランプ６を前方から包囲しかつ反射板７の反射面１３に対向するように、反射板７の外周囲に結合された前方に突出するほぼ椀形状のガード用ネット１１、
をそれぞれ備えている。
【００１７】
支柱３は、図１および図２に示すように、首振り用のモータ１２（図５参照）が内蔵された熱源支持部５を支持台部４を介して支持している。また、ハロゲンランプ６は、熱源支持部５の前端部を取り囲むように、切れ目１９を１ヶ所（または複数ヶ所）有するほぼリング状のものであってよい（図３参照）。また、熱源用ランプ（ハロゲンランプ）としては、遠赤外線を多量に放出することができる遠赤外線ランプ（換言すれば、遠赤外線加熱ユニット）６が用いられるのが好ましい。また、ガード用ネット１１は、中央連結部材１４と、外周縁部材１５と、これらの中央連結部材１４と外周縁部材１５との間に放射方向に延びるように張り渡された多数のワイヤ１６とから成っていてよい。さらに、熱源カバー１０は、熱源支持部５の前面に取付けられたねじ棒１７と、このねじ棒１７にねじ込まれたナット１８とによって、熱源支持部５に取付けることができる。
【００１８】
基台２の上面板部２１には、図１、図２および図５に示すように、電源スイッチ兼用のタイマースイッチ２２および首振りスイッチ２４が設けられていてよい。なお、電源スイッチ兼用のタイマースイッチ２２は、回動操作式であってよく、切（電源オフ）、連続（電源連続オン）およびタイマー（設定時間だけ電源オン）の各操作を手動で行えるようになっている。また、首振りスイッチ２４は、プッシュ・プッシュ式オン・オフ・スイッチであってよく、首振り停止状態および首振り動作状態の各操作を手動で行えるようになっている。
【００１９】
図１および図２に示す熱源支持部５は、従来から一般的に知られているように、ほぼ垂直方向に延びる回転軸（図示せず）の回りを支持台部４に対して往復回動（すなわち、水平方向に首振り）できるようになっていてよい。そして、上述の首振りスイッチ２４を手動により操作することによって、熱源支持部５（ひいては、ハロゲンランプ６、反射板機構８、ランプカバー１０、ガード用ネット１１および首振り用モータ１２）がほぼ水平方向における首振り動作を継続的に行ったり、ほぼ水平方向における首振り動作を行わなかったりする。また、支持台部８（ひいては、熱源支持部５、ハロゲンランプ６、反射板機構８、ガード用ネット１２など）は、従来から一般的に知られているように、手動により支柱３に対して上下方向に往復回動（すなわち、垂直方向に首振り）させることができるようになっていてよい。このために、支持台部４は、図２に示すように、支持軸２５によって支柱３（具体的には、後述の可動側支柱３２）の上端部に上下方向に往復回動可能に軸支されている。
【００２０】
支柱３は、図１および図２に示すように、基台２上にその下端部を結合された下側（すなわち、固定側）の支柱３１と、この固定側の支柱３１に昇降可能に取付けられた上側（すなわち、可動側）の支柱３２とを備えている。そして、可動側支柱３２の上端部には、支持軸２５によって支持台部４が取付けられている。
【００２１】
反射板機構８は、図２および図４に示すように、それぞれ熱源支持部５挿入用の中央開孔を有する反射板７と反射板後面カバー兼用の反射板支持部材２６とを備えている。そして、反射板７は、適当なアルミニウム合金などの金属材料をプレス成形することなどにより形成した反射板本体３３と、この反射板本体３３の前面に形成された光触媒皮膜３４とから成っていてよい。また、反射板本体３３がアルミニウム合金から成る場合には、その前面が必要に応じてアルマイト表面処理を施されていてよい。そして、光触媒皮膜３４は、ＴｉＯ２、ＺｎＯなどの固体の酸化物半導体などの光触媒を蒸着することなどにより反射板本体３３の前面に形成されたＴｉＯ２皮膜、ＺｎＯ皮膜などの固体酸化物半導体皮膜などの各種の光触媒から成る皮膜であってよい。
【００２２】
反射板本体３３の厚みは、図示の実施例の場合には約０．８ｍｍであるが、本発明においては、実用性の観点から見て一般的に、０．２〜４ｍｍの範囲であるのが好ましく、０．５〜２．５ｍｍの範囲であるのがさらに好ましい。また、光触媒皮膜３４の厚みは、図示の実施例の場合には約１５０μｍであるが、本発明においては、実用性の観点から見て一般的に、２０〜１，２００μｍの範囲であるのが好ましく、４０〜６００μｍの範囲であるのがさらに好ましい。
【００２３】
反射板後面カバー兼用の反射板支持部材２６は、図２に示すように、耐熱性を有する硬質合成樹脂などの各種の合成樹脂、金属などから反射板７とほぼ同形になるように流し込み成形などにより形成されたものであってよい。そして、反射板支持部材２６は、反射板７の後面を覆った状態で、その中央部分を熱源支持部５に取付け支持されている。また、この反射板支持部材２６の外周囲付近には、反射板７およびガード用ネット１１のそれぞれの外周囲付近が取付け固定されているので、反射板７の外周囲付近には、ガード用ネット１１の外周囲付近が結合されている。
【００２４】
反射板支持部材２６の外周囲付近には、図４に示すように、セルフタッピング用などのねじ孔３８をそれぞれ有する複数個の取付ボス部３５が好ましくはほぼ等間隔で一体成形されている。また、これらの取付ボス部３５の外周縁前面付近には、条溝３６を有する係合用突起部３７が一体成形されている。そして、ガード用ネット１１の複数本のワイヤ１６の先端部とワイヤから成る外周縁部材１５の所定の箇所とが条溝３６に係合している。
【００２５】
反射板７のほぼ垂直に延びる外周囲部分の所定の箇所とガード用ネット１１の複数本のワイヤ１６のほぼ垂直に延びる外周囲部分とが取付ボス部３５の前面に順次あてがわれている。また、このあてがわれた状態を保持するために、扁平なＵ字状のワッシャ部材３９が複数本（例えば、互に隣接する２本）のワイヤ１６の間にそれらの両端部がこれら２本のワイヤ１６に引っ掛けられるように張り渡されている。そして、取付けねじ４０が、ワッシャ部材３９の孔、２本のワイヤ１６の間隙および反射板７の孔に順次挿通されてから、ねじ回し、スパナなどの工具を用いてねじ孔３８に比較的強固にねじ込まれている。したがって、取付けねじ４０をねじ戻してガード用ネット１１を反射板支持部材２６（ひいては、反射板７）から取り外して反射板機構８との結合を解除することは、素手では実質的（あるいは、簡単）には行うことができず、この結合を比較的簡単に解除するためには、ねじ回し、スパナなどの工具が必要である。
【００２６】
本発明においては、ガード用ネット１１と反射板支持部材２６（ひいては、反射板７）との結合を素手では実質的（あるいは、簡単）には解除できないようにするのが好ましい。このために、図示の実施例においては、図４に示すように、ガード用ネット１１および反射板７を取付けねじ４０でもって反射板支持部材２６にねじ止め結合するようにしている。
【００２７】
しかし、この取付けねじ４０によるねじ止め結合の代わりに、ボルトとナットとでもってねじ止め結合するようにしてもよい。この場合、反射板支持部材２６の外周囲付近に取付けボス部３５に代えてねじ挿通孔を有する取付け耳部を設ける。そして、ワッシャ部材３９の孔、２本のワイヤ１６の間隙、反射板７の孔および上記取付け耳部のねじ挿通孔にボルトを順次挿通させる。そして、このボルトにその先端側からナットをねじ込んで、ナットとボルトの頭との間にワッシャ部材３９、２本のワイヤ１６、反射板７の外周囲付近および取付け耳部を挟み込む。
【００２８】
さらに、取付けねじ４０やボルト・ナットによるねじ止め結合の代わりに、断面ほぼＵ字状などのかしめ結合用の板材などのかしめ結合手段でもって、ガード用ネット１１を反射板支持部材２６（ひいては、反射板７）との結合を行うようにしてもよい。この場合、ワッシャ部材３９に設けたスリット、２本のワイヤ１６の間隙、反射板７に設けたスリットおよび反射板支持部材２６の取付け耳部に設けたスリットに断面ほぼＵ字状のかしめ結合用板材をそれぞれ挿通させる。そして、ペンチ、プレスマシンなどの工具を用いてかしめ結合用板材をかしめることによって、ねじ止め結合の場合と同様に、反射板支持部材２６に反射板７およびガード用ネット１１を比較的強固にかしめ結合させる。したがって、この場合にも、ガード用ネット１１を反射板支持部材２６（ひいては、反射板７）から取り外して反射板機構８との結合を解除することは、素手では実質的（あるいは、簡単）には行うことができず、この結合を比較的簡単に解除するためには、ニッパなどの工具が必要である。
【００２９】
図５には、図１および図２に示すハロゲンランプヒータ１の電気回路図が示されている。なお、この図５に示す電気回路は、従来から一般的に知られているハロゲンランプ６の点灯のための電気回路と実質的に同一であってよい。また、この図５に示す電気回路において、４１はＡＣ電源、４２はヒューズ、４３は進相コンデンサである。
【００３０】
上述のように構成されたハロゲンランプヒータ１によれば、電源スイッチ兼用のタイマースイッチ２２を操作することによって、従来から知られているようにハロゲンランプ６が点灯する。そして、ハロゲンランプ６から放射された遠赤外線は、直接またはランプカバー１０の反射面９に反射された後に反射板７の反射面１３に反射されるので、この反射面１３の前方の空間に放射される。また、ハロゲンランプヒータ１が配置されている部屋が遠赤外線の熱によって暖められるので、この部屋の空気は自然対流する。この場合、首振りスイッチ２４を操作することによって、従来から一般的に知られているように熱源支持部５、ハロゲンランプ６、反射板機構８、熱源カバー１０、ガード用ネット１１などにほぼ水平方向の首振り動作を行わせることができるので、上述のような空気の自然対流がさらに効果的に行われる。
【００３１】
また、反射板７の前面（すなわち、反射面１３）には、光触媒皮膜３４が形成されているので、反射面１３がほこり、ごみ、たばこのやになどの汚物によって汚染されるのが、つぎのようにして防止される。
【００３２】
すなわち、熱源（ハロゲンランプ）６から放出される光線、ヒータ１が配置されている部屋の照明灯などから放射される光線、上記部屋に侵入する太陽光線などの光線が光触媒皮膜３４によって吸収されると、光触媒皮膜３４はつぎに記述するような脱臭効果、浄化効果および防汚効果を発揮する。そして、このような効果は、ヒータ１のハロゲンランプ６を点灯させていなくても、熱源６からの光線以外の上述のような光線が存在する限り、大なり小なり発揮される。
【００３３】
（１）脱臭効果
不快な臭いやたばこの臭いなどが光触媒皮膜３４に触れると、これらの臭い成分は分解されて脱臭される。
（２）浄化効果
光触媒の有機物酸化効果により有機物、菌、かびなどの有機性物質が分解される。
（３）防汚効果
光触媒皮膜３４の表面に付着しようとするほこり、ごみ、たばこのやになどの汚物が分解されて、光触媒皮膜３４の表面（換言すれば、反射板７の反射面１３）に汚物が付着しにくくなる。
【００３４】
したがって、ハロゲンヒータ１を長期間使用しても、反射板７の反射面１３に汚物がこびりついて、熱源６から放出される光線が汚物に吸収されて反射効率が悪くなったり、また、反射面１３が汚物で汚染されて美観を損ねたり不衛生になったりする恐れがなく、さらに、反射面１３にこびりついた汚物中のわたぼこりなどが燃えて火災の原因になったりする恐れがない。そして、ヒータ１が配置されている部屋の空気も浄化される。また、ハロゲンランプ６から放出される光線が光触媒皮膜３４に効果的に吸収されるから、光触媒皮膜３４に紫外線などの光線を吸収させるための紫外線ランプなどの別の光源を設ける必要は特になく、このような別の光源は実質的に不要である。
【００３５】
さらに、ガード用ネット１１を反射板機構８から素手では実質的（あるいは、簡単）には取り外せないようにした。したがって、ガード用ネット１１を反射板７から取り外して反射板７の反射面１３をぞうきんなどで水拭きしてハロゲンランプ６に水分を付着させ、このために、ハロゲンランプ６の外壁である石英管が割れたりする恐れがない。また、子供などがガード用ネット１１を反射板機構８から不用意に取り外して火災、火傷などの原因になることもない。
【産業上の利用可能性】
【００３６】
以上において、本発明の一実施例について詳細に説明したが、本発明は、この実施例に限定されるものではなく、特許請求の範囲に記載された発明の趣旨に基づいて各種の変更および修正が可能である。
【００３７】
例えば、上述の実施例においては、熱源としてハロゲンランプ６を用いたが、ハロゲンランプ６以外の他の赤外線ランプ、その他の熱源を用いることができる。
【００３８】
また、上述の実施理恵においては、反射板７の前面のみに光触媒皮膜３４が形成されているが、その後面や場合によってはその側面（すなわち、厚さ方向に延びる細長い面）にも同様に光触媒皮膜を形成することができる。
【００３９】
さらに、上述の実施例においては、本発明を座敷用扇風機型のハロゲンランプヒータ１に適用したが、卓上用扇風機型のハロゲンランプヒータ、洋間用扇風機型のハロゲンランプヒータなどの別の種類の扇風機型のハロゲンランプヒータ、あるいは、これらのヒータ以外の、扇風機型のヒータ（すなわち、暖房機）にも同様に適用することができる。
【図面の簡単な説明】
【００４０】
【図１】本発明を座敷用扇風機型ハロゲンランプヒータに適用したハロゲンランプヒータ全体の斜視図である。（実施例１）
【図２】図１に示すハロゲンランプヒータ全体の部分的に縦断した左側面図である。（実施例１）
【図３】図１に示すハロゲンランプヒータの、ガード用ネットおよび熱源カバーを取り除いた状態における反射板部分の斜視図である。（実施例１）
【図４】図１に示すハロゲンランプヒータの反射板機構とガード用ネットとの結合部分付近の縦断面図である。（実施例１）
【図５】図１に示すハロゲンランプヒータの電気回路図である。（実施例１）
【符号の説明】
【００４１】
１        座敷用扇風機型ハロゲンランプヒータ（扇風機型ヒータ）
３        支柱
４        支持台部
５        熱源支持部
６        ハロゲンランプ（熱源）
７        反射板
１０      熱源カバー
１１      ガード用ネット
１３      反射面
１５      外周縁部材（外周縁部）
３１      固定側支柱
３２      可動側支柱
３４      光触媒皮膜
４０      取付けねじ（ねじ止め結合手段）
【図１】
2005069628.tif 000003
【図２】
2005069628.tif 000004
【図３】
2005069628.tif 000005
【図４】
2005069628.tif 000006
【図５】
2005069628.tif 000007